(57)【特許請求の範囲】
【請求項１】
画像を撮影する撮影手段と、
前記撮影手段の撮影により得られる複数の画像ファイルを記憶する記憶手段と、
前記記憶手段に記憶された複数の画像ファイルの中から、再生対象の画像ファイルの選択操作を受け付ける第１の操作受付手段と、
前記第１の操作受付手段の受け付けにより選択された画像ファイルを表示する表示手段と、
前記表示手段に選択画像ファイルが表示された状態で、前記記憶手段に記憶された複数の画像ファイルを個々に再生する第１の再生モード、及び複数の画像ファイルを連続再生する第２の再生モードのうちの一方の再生モードの指定操作を受け付ける第２の操作受付手段と、
前記第２の操作受付手段の受け付けにより指定された前記第１の再生モードに基づき前記選択画像ファイルを再生し、前記第２の操作受付手段の受け付けにより指定された前記第２の再生モードに基づき前記選択画像ファイルを再生するとともに前記選択画像ファイルの再生に続けて他の画像ファイルを再生する再生制御手段と、
を備えたことを特徴とする撮影装置。
【請求項２】
前記第２の操作受付手段は、
前記選択画像ファイルの表示画面上に、前記第１の再生モードの指定を受け付ける第１のアイコン、及び前記第２の再生モードの指定を受け付ける第２のアイコンを表示させる操作を受け付ける第３の操作受付手段と、
前記第１のアイコンの選択による前記第１の再生モードの指定操作、及び前記第２のアイコンの選択による前記第２の再生モードの指定操作を受け付ける第４の操作受付手段と、
を含むことを特徴とする請求項１に記載の撮影装置。
【請求項３】
前記撮影手段は、静止画を撮影する静止画モードに基づき静止画を撮影し、動画を撮影する動画モードに基づき動画を撮影し、
前記記憶手段は、静止画及び動画の複数の画像ファイルを記憶する、
ことを特徴とする請求項１に記載の撮影装置。
【請求項４】
複数の静止画の画像ファイルを連続再生する静止画連続再生モード、複数の動画の画像ファイルを連続再生する動画連続再生モード、及び静止画及び動画の区別無く複数の画像ファイルを連続再生する静止画動画連続再生モードの何れか一つの連続再生モードの設定操作を受け付ける第５の操作受付手段を備えたことを特徴とする請求項３に記載の撮影装置。
【請求項５】
前記第３の操作受付手段は、前記表示手段に静止画の選択画像ファイルが表示された状態で、この表示された静止画の画像ファイルの回転操作を受け付け、前記表示手段に動画の選択画像ファイルが表示された状態で、前記第１のアイコン及び前記第２のアイコンを表示させる操作を受け付ける、
ことを特徴とする請求項２に記載の撮影装置。
【発明の詳細な説明】
【技術分野】
【０００１】
本発明は、静止画及び動画を撮影する撮影装置に関する。
【背景技術】
【０００２】
近年、多機能なデジタルスチルカメラやデジタルビデオカメラなどのデジタル機器の普及が目覚しい。このようなデジタル機器に適用される技術として、例えば、数秒から数十秒の単位で作成される多量の画像ファイルをランダム再生又はシーケンシャル再生する技術が提案されている（特許文献１参照）。
【特許文献１】特開２００３−３０４４９３
【発明の開示】
【発明が解決しようとする課題】
【０００３】
上記したデジタル機器は、多機能であるが故に、操作が複雑になりがちである。例えば、上記したランダム再生とシーケンシャル再生とを選択的に実行する操作についても、例外ではない。
【０００４】
本発明の目的は、上記課題を解決するためになされたものであり、簡単操作でランダム再生とシーケンシャル再生とを選択することが可能な撮影装置を提供することにある。
【課題を解決するための手段】
【０００５】
この発明の撮影装置は、以下のように構成されている。
【０００６】
この発明の撮影装置は、画像を撮影する撮影手段と、前記撮影手段の撮影により得られる複数の画像ファイルを記憶する記憶手段と、前記記憶手段に記憶された複数の画像ファイルの中から、再生対象の画像ファイルの選択操作を受け付ける第１の操作受付手段と、前記第１の操作受付手段の受け付けにより選択された画像ファイルを表示する表示手段と、前記表示手段に選択画像ファイルが表示された状態で、前記記憶手段に記憶された複数の画像ファイルを個々に再生する第１の再生モード、及び複数の画像ファイルを連続再生する第２の再生モードのうちの一方の再生モードの指定操作を受け付ける第２の操作受付手段と、前記第２の操作受付手段の受け付けにより指定された前記第１の再生モードに基づき前記選択画像ファイルを再生し、前記第２の操作受付手段の受け付けにより指定された前記第２の再生モードに基づき前記選択画像ファイルを再生するとともに前記選択画像ファイルの再生に続けて他の画像ファイルを再生する再生制御手段と、を備えている。
【発明の効果】
【０００７】
本発明によれば、簡単操作でランダム再生とシーケンシャル再生とを選択することが可能な撮影装置を提供できる。
【発明を実施するための最良の形態】
【０００８】
以下、図面を参照し、本発明の実施形態について説明する。
【０００９】
図１及び図２は、この発明の映像撮影装置の一例を示す図である。図１は、映像撮影装置を構成する本体に設けられた収納部に対して表示部を収納した状態を示す図である。図２は、表示部に表示される映像を視認可能な状態にした様子を示す図である。
【００１０】
図１及び図２に示すように、映像撮影装置は、本体１を備えており、この本体１は、レンズ２、フラッシュ３、静止画レコードボタン４、表示部５、動画レコードボタン６、ジョグダイヤル７、十字キー８、メニューキー９、ズームバー１０、モードレバー１１、パワーボタン１２などを備えている。
【００１１】
さらに、本体１は、収納部２１を備えており、この収納部２１に、表示部５を収納することができる。表示部５は、可動自在に構成されており、収納部２１から取り出して、表示面を任意の角度に調整することができる。表示部５は、ＬＣＤ（液晶ディスプレイ）５１及びスピーカー５２を備えている。
【００１２】
図３は、ジョグダイヤル及び決定ボタンの詳細を説明するための図である。
【００１３】
図３に示すように、ジョグダイヤル７は、円環状に構成されている。このジョグダイヤル７は、右方向及び左方向に回転可能な構成となっている。なお、このジョグダイヤル７は、円環状だけに限定されるものではなく、指が引っ掛かりやすいように多角形の環状であってもよい。
【００１４】
さらにこのジョグダイヤル７の内側には、円形の十字キー８が配置されている。十字キー８は、中心位置にＯＫキー８１、上位置にＵＰキー８２、下位置にＤＯＷＮキー８３、右位置に右キー（方向キー）８４、左位置に左キー（方向キー）８５を備えている。
【００１５】
図４は、図１〜図３を参照して説明した映像撮影装置の概略構成を示すブロック図である。
【００１６】
図４に示すように、映像撮影装置は、ＣＣＤ１０１、信号処理回路１０２、エンコーダ（ＪＰＥＧ／ＭＰＥＧ）１０３、メモリ１０４、ＨＤＤ１０５、メモリカード１０６、デコーダ１０７、ＬＣＤドライバ１０８、ＬＣＤ５１、ＬＡＮコントローラ１１０、ＵＳＢコントローラ１１１、ＬＡＮ端子１１２、ＵＳＢ端子１１３、ＣＰＵ１１４などを備えている。これらは、バス１１５を介して接続されている。
【００１７】
静止画レコードボタン４の操作に対応して、ＣＣＤ１０１は、レンズ２を介して得られる光（静止画像）を電気信号に変換する。或いは、動画レコードボタン６の操作に対応して、ＣＣＤ１０１は、レンズ２を介して得られる光（動画像）を電気信号に変換する。信号処理回路１０２は、ＣＣＤ１０１から出力される電気信号をデジタル信号へ変換する。エンコーダ１０３は、静止画像のデジタル信号をＪＰＥＧに準拠した画像信号へエンコードする。或いは、エンコーダ１０３は、動画像のデジタル信号をＭＰＥＧに準拠した画像信号へエンコードする。ＨＤＤ１０５は、メモリ１０４を介して提供される画像信号を記憶する。着脱可能なメモリカード１０６も、同様に、メモリ１０４を介して提供される画像信号を記憶する。デコーダ１０７は、メモリを介して提供される画像信号をデコードする。ＬＣＤドライバ１０８は、デコードされた画像信号に基づきＬＣＤ５１の駆動を制御し、液晶ディスプレイ上に画像信号を出力する。
【００１８】
記録済み画像の再生時には、デコーダ１０７は、ＨＤＤ１０５又はメモリカード１０６からメモリ１０４を介して提供される画像信号をデコードする。ＬＣＤドライバ１０８は、デコードされた画像信号に基づきＬＣＤ５１の駆動を制御し、ＬＣＤ５１上に画像信号を出力する。
【００１９】
ＨＤＤ１０５又はメモリカード１０６に記録された画像を外部機器（ＰＣ等）に対して転送したり、或いは画像を外部機器から受信したりする場合は、ＵＳＢコントローラ１１１を介してＵＳＢ端子１１３から送受信する。また、ＰＣ等の外部機器を介さずに、例えばＤＶＤレコーダのような画像記録再生装置に対して、直接、エンコードされた画像を送受信することもできる。
【００２０】
一般に、ＤＶＤレコーダに画像を転送するときは、エンコードされた動画像を送信側（映像撮影装置側）でデコードし、ビデオ端子やＳ端子からアナログ出力し、受信側（画像記録再生装置側）でアナログ信号を再エンコードして保存する。この方法では、例えば１時間記録した画像をＤＶＤ等に記録するのに１時間かかる。
【００２１】
しかし、この映像撮影装置では、上記したように、エンコードした画像を、圧縮データとしてネットワーク経由で画像記録再生装置に転送することができる。これにより、エンコード時の圧縮率にも依存するが、実記録時間の１／１０以下の転送時間を達成できる。しかも、画質については、再エンコードしないため高画質の状態を維持できる。例えば、実記録時間の１／１０程度の転送時間で済む場合には、１時間記録した動画像は、約６分程度で他の記録媒体へ記録することができる。ネットワークとしてＬＡＮを考えた場合、ＬＡＮコントローラ１１０を介してＬＡＮ端子１１２により画像データを送受信する。なお、転送の対象となるデータは、動画や静止画だけでなく、音声データでもよい。
【００２２】
この映像撮影装置は、大容量記憶部としてのＨＤＤ１０５を備えている。つまり、このＨＤＤ１０５には、様々なデータ（膨大な数の静止画像や長時間の動画像）を格納することができ、これに伴い画像の送りや戻しに高速性が要求される。このため、これらをストレスなく操作するため、ジョグダイヤル７及び十字キー８が使用される。ジョグダイヤル７の回転に対応して、ジョグダイヤル７は、システム全体を制御するＣＰＵ１１４に対して、回転量（回転角）及び回転方向の情報を出力する。例えば、ジョグダイヤル７は、一定の回転角度に応じたパルスを出力する。例えば、ジョグダイヤル７がｎ度回転すると、ジョグダイヤル７は１パルスを出力する。ＣＰＵ１１４は、単位時間あたりのパルス数をカウントし、単位時間あたりの回転角（回転速度）を演算する。以上により、ＣＰＵ１１４は、ジョグダイヤル７の回転量（回転角）、回転方向、回転速度等の回転情報を取得し、この回転情報に基づき、各種動作を制御したり、ＬＣＤ５１上の表示を制御したりする。十字キー８は、ＣＰＵ１１４に対して、中心位置のＯＫキー８１の押下、上位置のＵＰキー８２の押下、下位置のＤＯＷＮキー８３の押下、右位置の右キー８４の押下、左位置の左キー８５の押下を伝える。ＣＰＵ１１４は、十字キー８における各押下に基づき、各種動作を制御したり、ＬＣＤ５１上の表示を制御したりする。
【００２３】
以下、映像撮影装置による１ファイル再生（ランダム再生）と連続再生（シーケンシャル再生）について説明する。
【００２４】
モードレバー１１を介して静止画撮影モードが指定され、静止画レコードボタン４の押下により静止画が撮影されると、例えばＨＤＤ１０５には１つの静止画ファイルが記憶される。つまり、複数回の静止画撮影により、ＨＤＤ１０５には複数の静止画ファイルが記憶される。また、モードレバー１１を介して動画撮影モードが指定され、動画レコードボタン６の押下により動画の撮影が開始され、再度の動画レコードボタン６の押下により動画の撮影が終了すると、例えばＨＤＤ１０５には１つの動画ファイルが記憶される。つまり、複数回の動画撮影により、ＨＤＤ１０５には複数の動画ファイルが記憶される。
【００２５】
モードレバー１１を介して再生モードが指定され、ジョグダイヤル７及び十字キー８によりＨＤＤ１０５に記憶された複数の画像ファイル（静止画ファイル及び動画ファイル）の中から再生対象の画像ファイルが選択されると、選択された画像ファイルがＬＣＤ５１に表示される。
【００２６】
また、モードレバー１１を介して再生モードが指定され、さらに、ジョグダイヤル７及び十字キー８により静止画連続再生モードが指定され、ジョグダイヤル７及び十字キー８によりＨＤＤ１０５に記憶された複数の画像ファイル（例えば静止画ファイルのみアクティブ表示）の中から再生対象の画像ファイル（静止画ファイル）が選択されると、選択された静止画ファイルがＬＣＤ５１に表示され、この後、他の静止画ファイルが順にＬＣＤ５１に表示される。表示順は、ランダム又は撮影日時順を選択できる。
【００２７】
また、モードレバー１１を介して再生モードが指定され、さらに、ジョグダイヤル７及び十字キー８により動画連続再生モードが指定され、ジョグダイヤル７及び十字キー８によりＨＤＤ１０５に記憶された複数の画像ファイル（動画ファイルのみアクティブ表示）の中から再生対象の画像ファイル（動画ファイル）が選択されると、選択された動画ファイルがＬＣＤ５１に表示され、この後、他の動画ファイルが順にＬＣＤ５１に表示される。表示順は、ランダム又は撮影日時順を選択できる。
【００２８】
また、モードレバー１１を介して再生モードが指定され、さらに、ジョグダイヤル７及び十字キー８により静止画動画連続再生モードが指定され、ジョグダイヤル７及び十字キー８によりＨＤＤ１０５に記憶された複数の画像ファイル（静止画ファイル及び動画ファイル）の中から再生対象の画像ファイル（静止画ファイル又は動画ファイル）が選択されると、選択された画像ファイルがＬＣＤ５１に表示され、この後、他の画像ファイルが順にＬＣＤ５１に表示される。表示順は、ランダム又は撮影日時順を選択できる。
【００２９】
図５は、再生モードの指定により表示部に表示される再生メニューの一例を示す図である。この再生メニューの中からオートプレイ（連続再生）が選択されると、オートプレイの実行又はオートプレイの詳細設定を指定するためのオートプレイ画面が表示される。図６は、オートプレイの実行又はオートプレイの詳細設定を指定するための設定画面の一例を示す図である。この設定画面を介して、上記した静止画連続再生モード、動画連続再生モード、静止画動画連続再生モードの何れかを設定することができる。また、この設定画面を介して、オートプレイの再生間隔を設定することもできる。図７は、オートプレイの再生間隔を設定するための再生間隔設定画面の一例を示す図である。
【００３０】
次に、再生画面上から、１ファイル再生（ランダム再生）と連続再生（シーケンシャル再生）とを選択する操作について説明する。
【００３１】
モードレバー１１を介して再生モードが指定され、ジョグダイヤル７及び十字キー８によりＨＤＤ１０５に記憶された複数の画像ファイル（静止画ファイル及び動画ファイル）の中から、例えば再生対象の動画ファイルが選択されると、選択された動画ファイルがＬＣＤ５１に表示される。ＬＣＤ５１に選択動画ファイルが表示された状態で、例えば十字キー８のＤＯＷＮキー８３が押下されると、図８及び図９に示すような１ファイル再生指定アイコン２０２及び連続再生指定アイコン２０１が表示される。これらアイコンは、十字キー８の右キー８４及び左キー８５により選択可能である。図８に示すように、連続再生指定アイコン２０１が選択されると「連続再生」が表示され、図９に示すように、１ファイル再生指定アイコン２０２が選択されると「１ファイル」が表示される。このようなアイコン及び文字による機能表示により、視認性を向上させることができる。
【００３２】
なお、再生対象の静止画ファイルがＬＣＤ５１に表示された状態で、例えば十字キー８のＤＯＷＮキー８３が押下されると、表示されている静止画が回転する。
【００３３】
図８に示すように、連続再生指定アイコン２０１が選択された状態で、十字キー８のＯＫキー８１が押下されると、図１０に示すように、連続再生アイコン２０３が表示され、連続再生が開始される。つまり、現在表示されている動画ファイルが再生され、この後、続けて他の画像ファイルの再生が開始される。予め、動画連続再生モードが指定されていれば、動画ファイルのみの連続再生となる。予め、静止画動画連続再生モードが指定されていれば、静止画ファイル及び動画ファイルの連続再生となる。
【００３４】
図９に示すように、１ファイル再生指定アイコン２０２が選択された状態で、十字キー８のＯＫキー８１が押下されると、図１１に示すように、１ファイル再生アイコン２０４が表示され、１ファイル再生が開始される。つまり、現在表示されている動画ファイルだけが再生される。
【００３５】
以上により、再生メニューを経由せずに、簡単操作で図８及び図９に示すようなクイックメニューから１ファイル再生と連続再生とを選択することが可能となる。これにより、利便性が向上する。
【００３６】
例えば、磁気テープを記録媒体とするカメラでは、撮影した動画データは、必然的に時系列順（撮影した順番）に記録される。このため、動画再生を行った場合、必ず連続再生となる。これに対し、ＨＤＤを記録媒体とするカメラでは、撮影した動画データは、１回の撮影スタート、ストップにより１つの動画ファイルとして記録される。このため１つ１つの動画ファイルを個別に再生することも、複数の動画ファイルをあたかも１つの動画ファイルのように再生することも可能となる。上記した映像撮影装置は、１ファイル再生と連続再生とを簡単操作で切り替えることができる。
【００３７】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３８】
【図１】映像撮影装置を構成する本体に設けられた収納部に対して表示部を収納した状態の一例を示す図である。
【図２】映像撮影装置を構成する本体に設けられた収納部に対して表示部を収納した状態の一例を示す図である。
【図３】ジョグダイヤル及び決定ボタンの一例を説明するための図である。
【図４】図１〜図３を参照して説明した映像撮影装置の概略構成の一例を示すブロック図である。
【図５】再生モードの指定により表示部に表示される再生メニューの一例を示す図である。
【図６】オートプレイの実行又はオートプレイの詳細設定を指定するための設定画面の一例を示す図である。
【図７】オートプレイの再生間隔を設定するための再生間隔設定画面の一例を示す図である。
【図８】１ファイル再生指定アイコン及び連続再生指定アイコンが表示され、連続再生指定アイコンが選択されている画面の一例を示す図である。
【図９】１ファイル再生指定アイコン及び連続再生指定アイコンが表示され、１ファイル再生指定アイコンが選択されている画面の一例を示す図である。
【図１０】連続再生の画面の一例を示す図である。
【図１１】１ファイル再生の画面の一例を示す図である。
【符号の説明】
【００３９】
１…本体、２…レンズ、３…フラッシュ、４…シャッターボタン、５…表示部、６…動画レコードボタン、７…ジョグダイヤル（回転体）、８…決定ボタン、９…メニューキー、１０…ズームバー、１１…モードレバー、１２…パワーボタン、２１…収納部、５１…ＬＣＤ、５２…スピーカー、１０１…ＣＣＤ、１０２…信号処理回路、１０３…エンコーダ、１０４…メモリ、１０５…ＨＤＤ、１０６…メモリカード、１０７…デコーダ、１０８…ＬＣＤドライバ、１１０…ＬＡＮコントローラ、１１１…ＵＳＢコントローラ、１１２…ＬＡＮ端子、１１３…ＵＳＢ端子、１１４…ＣＰＵ、１１５…バス
【図１】
0004490892.tif 000002
【図２】
0004490892.tif 000003
【図３】
0004490892.tif 000004
【図４】
0004490892.tif 000005
【図５】
0004490892.tif 000006
【図６】
0004490892.tif 000007
【図７】
0004490892.tif 000008
【図８】
0004490892.tif 000009
【図９】
0004490892.tif 000010
【図１０】
0004490892.tif 000011
【図１１】
0004490892.tif 000012